(57)【要約】【課題】携帯電子機器のセット方向と端子の出没方向とを異ならせ、端子に手が触れる機会を極力なくし、かつ、携帯電子機器の画面を立ち上げて見ることを可能にした接続端子台を提供すること。【解決手段】携帯電子機器を横向きに寝かせてセットするセット凹部は、後方が高くなるように傾斜して形成し、セット凹部の前壁部の内側に係止爪を設け、側壁部の内側にセット保持用フックを設け、セット凹部の載置板部の後部を立ち上がらせて端子カバー部を設け、端子カバー部に形成した押圧釦出没窓の内側に臨ませて押圧釦を、携帯電子機器の着脱により回転軸を支点として揺動自在に設け、押圧釦に、端子付勢ばねに付勢されて押圧釦出没窓の載置板部側から突出する押圧突部と、押圧突部を携帯電子機器のセット時の押下げにより正面部側から横向きに接続端子を突出せしめる端子出没溝を形成する。【選択図】図１
2010178409.tif 000002
【特許請求の範囲】
【請求項１】
ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記携帯電子機器の側面に前記接続端子を突出せしめる端子出没溝とを形成したことを特徴とする接続端子台。
【請求項２】
接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにしたことを特徴とする請求項１記載の接続端子台。
【請求項３】
接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにしたことを特徴とする請求項２記載の接続端子台。
【請求項４】
載置板部の後部の一側部を立ち上がらせて端子カバー部を設け、この端子カバー部の他側部に前記載置板部を延長した携帯電子機器取り外し用の指掛け部を設けたことを特徴とする請求項１、２又は３記載の接続端子台。
【請求項５】
ハウジングの上面に、携帯電子機器を横向きに寝かせてセットするセット凹部を設け、前記携帯電子機器の電極に接離する接続端子を、携帯電子機器の着脱に応じてハウジングから出没するように構成した接続端子台において、前記セット凹部の載置板部は、後方が高くなるように傾斜して形成し、このセット凹部の前壁部の内側に、携帯電子機器をセットするときの係止爪を設け、かつ、前壁部の中央部に前面切欠きを設け、前記セット凹部の側壁部の内側に、携帯電子機器のセットを保持するフックを設け、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、一体の回転軸を支点とする押圧釦を前記携帯電子機器の着脱により揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から横向きに前記接続端子を突出せしめる端子出没溝とを形成し、前記載置板部を、前記端子カバー部を除いて延長して指掛け部を形成したことを特徴とする接続端子台。
【発明の詳細な説明】
【技術分野】
【０００１】
本発明は、携帯電話機、ディジタルカメラなどの携帯電子機器をセット凹部に横向きに寝かせた状態でセットして充電や通信信号の授受を行い、かつ、必要に応じて携帯電子機器の画面を立ち上げてＴＶ等として見ることを可能にした接続端子台に関するものである。
【背景技術】
【０００２】
本出願人は、携帯電話機などの携帯電子機器１２をハウジング１０に横向き状態でセットして充電を行い、かつ、必要に応じて画面１８でＴＶを見ることを可能にした横置き方式充電装置を提案した（特許文献１）。
この特許文献１の横置き方式充電装置には、図８に示すように、ハウジング１０のセット凹部１１に携帯電子機器１２を横向きにして突条１５にガイドされつつセットすると、両側のフック１７に携帯電子機器１２が係止し、かつ、携帯電子機器１２で押圧子出没孔１４から突出した押圧子１３を押し込む。すると、ハウジング１０内のシーソーアームの他端に設けられた給電端子が給電端子出没孔１６から突出して携帯電子機器１２の電極に接続して充電を行うものである。
携帯電子機器１２は、横向きで垂直にセットするので充電しながら前面の画面１８を楽しむことができる。
【先行技術文献】
【特許文献】
【０００３】
【特許文献１】特開２００８−２８３７５２号公報。
【発明の概要】
【発明が解決しようとする課題】
【０００４】
前記特許文献１記載の横置き方式充電装置には、次のような解決しようとする若干の問題点を有していた。
（１）携帯電子機器１２の充電電極が長手方向側面に設けられているため、ハウジング１０の給電端子がセット凹部１１の床面の給電端子出没孔１６から出没するように設けられている。このように、携帯電子機器１２のセット方向と給電端子の出没方向とが同一方向であるため、押圧子１３を押して給電端子出没孔１６から給電端子が飛び出して手に触れたりすると低温やけどの恐れがある。
（２）携帯電子機器１２を垂直にセットするため、画面１８を上から見下ろすようになり、画像が見にくい。特に、画面１８が携帯電子機器１２に折り畳み方式になっているものでは、長手方向のヒンジを１８０度以上回動するように構成しなければならず、ヒンジの構造が複雑になる。
（３）画面１８が短手方向にも折り畳み自在の携帯電子機器１２では、携帯電子機器１２を充電しながら画面１８を短手方向に起こしてＴＶ等として見ることができない。
【０００５】
本発明は、携帯電子機器のセット方向と端子の出没方向とを異ならせるとともに、携帯電子機器のセット時の端子の飛び出しを遅らせて端子に手が触れる機会を極力なくし、かつ、携帯電子機器の画面を立ち上げて見ることを可能にした接続端子台を提供することを目的とするものである。
【課題を解決するための手段】
【０００６】
本発明は、携帯電子機器１２の充電、通信等の電極が長手方向側面に設けられている場合において、好ましくは、この携帯電子機器１２を横向きで、かつ、寝かせてハウジング１０にセットし、接続端子２８を、ハウジング１０の側方のセット方向とは異なる方向で、かつ、携帯電子機器１２をハウジング１０にセット完了する直前にできるだけ遅れて突出するように構成し、接続端子２８に手が触れるのを極力なくすることが好ましい。
ハウジング１０から接続端子２８を突出させるために携帯電子機器１２で押圧釦２９を押圧するとき、押圧釦２９を押圧する携帯電子機器１２の接触部分は、携帯電子機器１２の平面の塗装部分がはげるのを避けるため接触面積の小さい角部とすることが好ましい。
また、携帯電子機器１２をハウジング１０にセットしつつワンセグメントの画面１８を見るときには、画面１８を長手方向にも、また、短手方向にも起き上がらせられることが望ましい。
【０００７】
これらの要望を達成するため、本発明は、ハウジング１０の上面に、携帯電子機器１２のセット凹部１１を設け、前記携帯電子機器１２の電極５２に接離する接続端子２８を、ハウジング１０から出没するように構成した接続端子台において、前記セット凹部１１は、後方が高くなるように傾斜して形成し、このセット凹部１１の前壁部１９の内側に、携帯電子機器１２をセットするときの係止爪２４を設け、かつ、前壁部１９の中央部に前面切欠き２１を設け、前記セット凹部１１の側壁部２０の内側に、携帯電子機器１２のセットを保持するフック１７を設け、前記セット凹部１１の載置板部３０の後部の一部を立ち上がらせて端子カバー部２３を設ける。
この端子カバー部２３の正面部５５と載置板部３０の一部に連続する押圧釦出没窓３１を形成し、この押圧釦出没窓３１に臨ませて前記端子カバー部２３の内部に、押圧釦２９を、前記携帯電子機器１２の着脱により回転軸３５を支点として揺動自在に設け、この押圧釦２９に、端子付勢ばね３６に付勢されて前記押圧釦出没窓３１の載置板部３０側から突出する押圧突部３２と、この押圧突部３２を前記携帯電子機器１２のセット時の押下げにより前記正面部５５側から横向きに前記接続端子２８を突出せしめる端子出没溝３４とを形成し、前記載置板部３０を、前記端子カバー部２３を除いて延長して指掛け部２２を形成する。
【発明の効果】
【０００８】
請求項１記載の発明によれば、ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記携帯電子機器の側面に前記接続端子を突出せしめる端子出没溝とを形成したので、携帯電子機器のセット時に、接続端子がハウジングの側方の携帯電子機器のセット方向とは異なる方向から突出し、接続端子に手が触れるのを極力なくすることができる。
携帯電子機器を横向きに寝かせてセットする場合に、特に、画面が携帯電子機器に折り畳み方式になっているものでは、長手方向にも、短手方向にも最も見やすい方向に起き上がらせてＴＶ等として見ることができる。
ハウジングから接続端子を突出させるために携帯電子機器で押圧釦を押圧するとき、携帯電子機器の接触部分は、接触面積の小さい角部とすることができ、携帯電子機器の平面の塗装部分がはげたり、傷ついたりすることを避けることができる。
【０００９】
請求項２記載の発明によれば、接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにしたので、導電性ばね線材からなる接続端子は、自身のばね力により外部へ突出しようとするが、通常は、押圧釦の端子付勢ばねにより内部に引き込ませられ、押圧釦の端子付勢ばねに抗して押圧突部が押し下げられた時接続端子は、自身のばね力により確実に外部へ突出して携帯電子機器の電極に接触して電気的に接続される。
【００１０】
請求項３記載の発明によれば、接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにしたので、接続端子は、携帯電子機器をハウジングにセット完了直前に突出し、接続端子に手で触れるのを極力なくすることができる。
【００１１】
請求項４記載の発明によれば、載置板部の後部の一側部を立ち上がらせて端子カバー部を設け、この端子カバー部の他側部に前記載置板部を延長した携帯電子機器取り外し用の指掛け部を設けたので、セット凹部にセットした携帯電子機器の取り外しが容易に行える。
【００１２】
請求項５記載の発明によれば、ハウジングの上面に、携帯電子機器を横向きに寝かせてセットするセット凹部を設け、前記携帯電子機器の電極に接離する接続端子を、携帯電子機器の着脱に応じてハウジングから出没するように構成した接続端子台において、前記セット凹部の載置板部は、後方が高くなるように傾斜して形成し、このセット凹部の前壁部の内側に、携帯電子機器をセットするときの係止爪を設け、かつ、前壁部の中央部に前面切欠きを設け、前記セット凹部の側壁部の内側に、携帯電子機器のセットを保持するフックを設け、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、一体の回転軸を支点とする押圧釦を前記携帯電子機器の着脱により揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から横向きに前記接続端子を突出せしめる端子出没溝とを形成し、前記載置板部を、前記端子カバー部を除いて延長して指掛け部を形成したので、携帯電子機器を接続端子台のセット凹部にセットするときは、携帯電子機器を横向きにして手前側を前壁部の係止爪に係合しつつ後方の下側の角部を押圧釦２押圧突部に載せて、携帯電子機器の後方を上から押しこむ。また、セット凹部にセットした携帯電子機器を取り外すときには、前壁部の前面切欠きに親指をかけ、携帯電子機器の後面の指掛け部の位置に他の指をかけて引き起こすと、携帯電子機器は、前壁部の係止爪に係止した位置を支点として持ち上がり、フックから外れて簡単に抜き取ることができる。携帯電子機器の抜き取りにより携帯電子機器がわずかに浮き上がっただけで、押圧釦と一体に接続端子が端子付勢ばねにより端子カバー部の内側に引き込まれ、同時に、押圧釦の押圧突起が押圧釦出没窓から突出する。
【図面の簡単な説明】
【００１３】
【図１】本発明による接続端子台の実施例１を示す斜視図である。
【図２】本発明による接続端子台のセット凹部１１への携帯電子機器１２の装着後を示す一部切り欠いた側面図である。
【図３】本発明による接続端子台のセット凹部１１への携帯電子機器１２の装着前を示す一部切り欠いた側面図である。
【図４】本発明の接続端子台に組み込まれる各部品を示すもので、（ａ）は、シャッター枠２６の斜視図、（ｂ）は、押圧釦２９を前面からみた斜視図、（ｃ）は、押圧釦２９を後面からみた斜視図、（ｄ）は、接続端子２８の斜視図である。
【図５】本発明の接続端子台における端子カバー部２３の一部を切欠いた正面図である。
【図６】（ａ）は、図５におけるＡ−Ａ線断面図、（ｂ）は、図５におけるＢ−Ｂ線断面図である。
【図７】本発明の実施例２を示す要部の側断面図である。
【図８】従来の接続端子台の斜視図である。
【発明を実施するための形態】
【００１４】
本発明による接続端子台は、ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記携帯電子機器の側面に前記接続端子を突出せしめる端子出没溝とを形成する。
【００１５】
接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにする。
【００１６】
接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにする。
【００１７】
セット凹部の載置板部は、後方が高くなるように傾斜して形成し、このセット凹部の前壁部の内側に、携帯電子機器をセットするときの係止爪を設け、かつ、前壁部の中央部に前面切欠きを設け、前記セット凹部の側壁部の内側に、携帯電子機器のセットを保持するフックを設ける。前記載置板部を、前記端子カバー部を除いて延長して指掛け部を形成して携帯電子機器の着脱をより確実に行わしめる。
【実施例】
【００１８】
以下、本発明の実施例１を図面に基づき説明する。
図１ないし図７において、ハウジング１０のセット凹部１１における載置板部３０は、好ましくは、携帯電子機器１２を横向きで、かつ、寝かせてセットするように構成されている。この載置板部３０は、例えば、１０度の角度をもって奥行きが高くなるように傾斜して構成されている。この載置板部３０の外周には、セットする携帯電子機器１２の厚さと略等しい高さで前壁部１９、側壁部２０が設けられている。このうち前壁部１９は、中央部分が携帯電子機器１２の着脱のために指を入れる前面切欠き２１が形成され、また、この両側の前壁部１９には、携帯電子機器１２のセット時の係止爪２４が設けられている。前記両側の側壁部２０の内側には、携帯電子機器１２のセット時のガイドのための突条１５と、携帯電子機器１２を係止するフック１７が進退自在に設けられている。前記載置板部３０には、携帯電子機器１２をセットしたときに載置板部３０との間にわずかな隙間を作るための突条１５と、携帯電子機器１２のセット時に押圧されて電源を投入する電源釦２５が設けられている。
【００１９】
前記載置板部３０の後部側には、略３分の１が端子カバー部２３で、残りが携帯電子機器１２を着脱するための指掛け部２２となっている。この指掛け部２２は、載置板部３０がやや傾斜しているのに対して略水平であり、セットした携帯電子機器１２を外すときに前記前面切欠き２１と指掛け部２２に指をかけて後部を持ち上げて外す。
なお、携帯電子機器１２をハウジング１０のセット凹部１１にセットした場合における携帯電子機器１２の指掛け部２２側には、コネクタ接続部（図示せず）が設けられ、指掛け部２２は、携帯電子機器１２のコネクタ接続部に接続されているコネクタとこのコネクタの配線コードを引き回す部分としても兼用されている。
前記端子カバー部２３は、その正面部５５から載置板部３０の一部に連続するようにして押圧釦出没窓３１が切欠かれている。この押圧釦出没窓３１は、正面部５５側が載置板部３０側よりやや幅広に形成され、この幅広部分に後述するシャッター枠２６の垂直枠部４４が臨ませられる。この押圧釦出没窓３１に臨ませた端子カバー部２３の内部に押圧釦２９、シャッター枠２６及び接続端子２８が設けられている。
【００２０】
前記押圧釦２９は、前記押圧釦出没窓３１から突出する押圧突部３２と、正面部５５の後方に位置する垂直片部３３とを有し、載置板部３０に軸支された回転軸３５により揺動自在に取り付けられている。この押圧釦２９の垂直片部３３から押圧突部３２にかけて両側に端子出没溝３４が形成され、この端子出没溝３４は、図６（ｂ）、図４（ｂ）（ｃ）に示すように、後面まで連通開口している。前記両側の回転軸３５には、端子付勢ばね３６が巻きつけられ、この端子付勢ばね３６の先端の連結端部５６が載置板部３０の下面のばね係止部５３に係止し、他端部が押圧釦２９の両側上端のばね係止部３７に係止し、押圧釦２９を図３に示すように右回りに付勢して通常は、押圧突部３２が押圧釦出没窓３１における載置板部３０と端子カバー部２３の正面部５５との角部から突出している。
【００２１】
前記押圧釦２９の端子出没溝３４には、背面から接続端子２８が挿入されている。この押圧釦２９は、中間部分が図４（ｄ）に示すように、プリント基板２７に取り付けられた端子保持部４２の軸５８に複数回巻きつけられ、先端がプリント基板２７の配線に接続され、上端部の端子接触部４０が端子出没溝３４から外方に突出し、この端子接触部４０の先端の係止端部４１が前記垂直片部３３の背面の端子係止部３８に係止している。そして接続端子２８は、自身のばね力で端子接触部４０が左回りに付勢されているが、この接続端子２８のばね力よりも端子付勢ばね３６のばね力を十分大きく設定することにより、押圧釦２９は、通常は、図３のように右回りに付勢されるので、端子接触部４０が正面部５５の押圧釦出没窓３１よりも内側に引き込まれている。また、前記垂直片部３３の背面には、端子係止部３８に連続した上部に傾斜した端子滑り部３９が形成されている。そして、図３において、接続端子２８の巻きつけられた軸５８が押圧釦２９の回転軸３５と係止端部４１を結ぶ線よりも図中左側にあるように形成して、押圧釦２９が所定角度だけ図中左回転すると、係止端部４１が端子係止部３８から端子滑り部３９へ移動して端子接触部４０が急速に端子出没溝３４から外方に突出するようになっている。
【００２２】
前記シャッター枠２６は、水平枠部４３と垂直枠部４４を一体に有し、水平枠部４３の側面には、揺動軸４８が載置板部３０の下面の軸受部５７に揺動自在に軸支され、水平枠部４３の上面の左右の突起部４９と突起部５０が載置板部３０の下面とわずかな隙間をもって形成されている。前記垂直枠部４４は、図５に示すように、前記押圧釦出没窓３１の内側で、押圧釦２９の両側に位置して配置され、上端部側方に目隠し突条４５が形成されるとともに、下向きにシャッター片４６が設けられ、このシャッター片４６の両側に前記端子出没溝３４に連通する端子出没溝４７が形成されている。このシャッター枠２６の垂直枠部４４は、通常、揺動軸４８を支点として突起部４９が載置板部３０の下面に接するまで下降し、この結果、目隠し突条４５は、端子カバー部２３の正面部５５と略面位置が一致した状態となる。
【００２３】
次に、接続端子台への携帯電子機器１２の着脱動作を説明する。
ハウジング１０のセット凹部１１に携帯電子機器１２を装着していない状態では、押圧釦２９、接続端子２８は、図３のように端子付勢ばね３６に付勢されて押圧釦出没窓３１の内側に位置している。このとき、シャッター枠２６は、垂直枠部４４側が自重により図３の右回りに回動し、突起部４９が載置板部３０の下面に接しているので、図６に示すように、目隠し突条４５は正面部５５から突出せず、また、シャッター片４６で正面部５５の内側が遮蔽されている。
【００２４】
この状態で、図３の鎖線で示すように、携帯電子機器１２を横向きにして手前側を前壁部１９の係止爪２４に係合しつつ後方の下側の角部を押圧釦２９の押圧突部３２に寝かせて載せる。この状態で、携帯電子機器１２の後方を上から押しこむ。
【００２５】
押圧釦２９の押圧突部３２が携帯電子機器１２の後方の下側の角部で押し込まれると、図２に示すように、携帯電子機器１２の下面で電源釦２５を押し込み、電源スイッチ（図示せず）がオンし、押圧釦２９が端子付勢ばね３６に抗して図中左回りに回動する。押圧釦２９が左回りに回動すると、接続端子２８は、自身が左回りに付勢されているので、押圧釦２９の回動に追随し、かつ、係止端部４１が端子係止部３８に係止したまま左回りに回動する。すると、端子接触部４０がシャッター枠２６の端子出没溝４７を経て正面部５５から突出する。ここで、端子接触部４０は、係止端部４１が端子係止部３８に係止しているときには、押圧釦２９の回動と同じ速度で突出するが、接続端子２８の軸５８が押圧釦２９の回転軸３５と係止端部４１を結ぶ線よりも図中左側にあるので、携帯電子機器１２の底面が載置板部３０に達する直前に係止端部４１が端子係止部３８から端子滑り部３９へ移動して端子接触部４０が急速に端子出没溝３４から外方に突出し、携帯電子機器１２の側面の電極５２に圧接する。
【００２６】
同時に、端子接触部４０の突出時に目隠し突条４５の下面に端子接触部４０の上部が接触して目隠し突条４５を押し出す。そのため、正面部５５と携帯電子機器１２とに生じた隙間５１は目隠し突条４５で瞬時に目隠しされる。一般に、正面部５５と携帯電子機器１２の間に生じる隙間５１は、少なすぎると、携帯電子機器１２の着脱時に互いに干渉して押圧釦２９や接続端子２８の稼働部分に無理がかかり、破損したり、変形したりする恐れがあるので、ある程度の隙間５１をもって形成される。ところが、隙間５１が大きすぎると、この隙間５１に書類の綴じ針などが落ち込み短絡事故の原因になる。
しかし、本発明では、端子接触部４０の突出と同時に目隠し突条４５で目隠しをしてこれらの不都合を解決している。
【００２７】
このような充電をしている状態で、図１に示すように、画面１８を長手方向に起こして最も見やすい角度にしてＴＶ等の映像を楽しむことができる。画面１８を一旦閉じて、短手方向に起こして映像を楽しむこともできる。
【００２８】
セット凹部１１にセットした携帯電子機器１２を取り外すときには、前壁部１９の前面切欠き２１に親指をかけ、携帯電子機器１２の後面の指掛け部２２の位置に他の指をかけて引き起こすと、携帯電子機器１２は、前壁部１９の係止爪２４に係止した位置を支点として持ち上がり、フック１７から外れて簡単に携帯電子機器１２を抜き取ることができる。携帯電子機器１２の抜き取りにより押圧釦２９が端子付勢ばね３６により図中右回りに回動し、接続端子２８の係止端部４１が端子滑り部３９から端子係止部３８へ移動し、端子接触部４０が端子カバー部２３の内側に引き込まれる。同時に、押圧釦２９の押圧突起３２が押圧釦出没窓３１から突出する。また、シャッター枠２６は、垂直部４４側が自重により揺動軸４８を支点として下降し、目隠し突条４５が押圧釦出没窓３１から退出する。
【００２９】
前記実施例では、図２に示すように、端子接触部４０の突出時に目隠し突条４５の下面に端子接触部４０の上部が接触して目隠し突条４５を押し出すようにした。
本発明は、これに限られるものではなく、図７に示すように、押圧釦２９における垂直片部３３の前面に突部５４を一体に設け、押圧釦２９が起き上がった時にこの突部５４でシャッター枠２６の垂直枠部４４の目隠し突条４５を押し出し、正面部５５と携帯電子機器１２とに生じた隙間５１を瞬時に目隠しするようにしてもよい。
【符号の説明】
【００３０】
１０…ハウジング、１１…セット凹部、１２…携帯電子機器、１３…押圧子、１４…押圧子出没孔、１５…突条、１６…給電端子出没孔、１７…フック、１８…画面、１９…前壁部、２０…側壁部、２１…前面切欠き、２２…指掛け部、２３…端子カバー部、２４…係止爪、２５…電源釦、２６…シャッター枠、２７…プリント基板、２８…接続端子、２９…押圧釦、３０…載置板部、３１…押圧釦出没窓、３２…押圧突部、３３…垂直片部、３４…端子出没溝、３５…回転軸、３６…端子付勢ばね、３７…ばね係止部、３８…端子係止部、３９…端子滑り部、４０…端子接触部、４１…係止端部、４２…端子保持部、４３…水平枠部、４４…垂直枠部、４５…目隠し突条、４６…シャッター片、４７…端子出没溝、４８…揺動軸、４９…突起部、５０…突起部、５１…隙間、５２…電極、５３…ばね係止部、５４…突部、５５…正面部、５６…連結端部、５７…軸受部、５８…軸。
【図１】
2010178409.tif 000003
【図２】
2010178409.tif 000004
【図３】
2010178409.tif 000005
【図４】
2010178409.tif 000006
【図５】
2010178409.tif 000007
【図６】
2010178409.tif 000008
【図７】
2010178409.tif 000009
【図８】
2010178409.tif 000010
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記携帯電子機器の側面に前記接続端子を突出せしめる端子出没溝とを形成し、前記接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにし、前記接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにしたことを特徴とする接続端子台。
【請求項２】
載置板部の後部の一側部を立ち上がらせて端子カバー部を設け、この端子カバー部の他側部に前記載置板部を延長した携帯電子機器取り外し用の指掛け部を設けたことを特徴とする請求項１記載の接続端子台。
【請求項３】
ハウジングの上面に、携帯電子機器を横向きに寝かせてセットするセット凹部を設け、前記携帯電子機器の電極に接離する接続端子を、携帯電子機器の着脱に応じてハウジングから出没するように構成した接続端子台において、前記セット凹部の載置板部は、後方が高くなるように傾斜して形成し、このセット凹部の前壁部の内側に、携帯電子機器をセットするときの係止爪を設け、かつ、前壁部の中央部に前面切欠きを設け、前記セット凹部の側壁部の内側に、携帯電子機器のセットを保持するフックを設け、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、一体の回転軸を支点とする押圧釦を前記携帯電子機器の着脱により揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から横向きに前記接続端子を突出せしめる端子出没溝とを形成し、前記載置板部を、前記端子カバー部を除いて延長して指掛け部を形成し、前記接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにし、前記接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにしたことを特徴とする接続端子台。
【手続補正２】
【補正対象書類名】明細書
【補正対象項目名】０００９
【補正方法】変更
【補正の内容】
【０００９】
また、請求項１記載の発明によれば、接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにしたので、導電性ばね線材からなる接続端子は、自身のばね力により外部へ突出しようとするが、通常は、押圧釦の端子付勢ばねにより内部に引き込ませられ、押圧釦の端子付勢ばねに抗して押圧突部が押し下げられた時接続端子は、自身のばね力により確実に外部へ突出して携帯電子機器の電極に接触して電気的に接続される。
【手続補正３】
【補正対象書類名】明細書
【補正対象項目名】００１０
【補正方法】変更
【補正の内容】
【００１０】
さらに、請求項１記載の発明によれば、接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにしたので、接続端子は、携帯電子機器をハウジングにセット完了直前に突出し、接続端子に手で触れるのを極力なくすることができる。
【手続補正４】
【補正対象書類名】明細書
【補正対象項目名】００１１
【補正方法】変更
【補正の内容】
【００１１】
請求項２記載の発明によれば、載置板部の後部の一側部を立ち上がらせて端子カバー部を設け、この端子カバー部の他側部に前記載置板部を延長した携帯電子機器取り外し用の指掛け部を設けたので、セット凹部にセットした携帯電子機器の取り外しが容易に行える。
【手続補正５】
【補正対象書類名】明細書
【補正対象項目名】００１２
【補正方法】変更
【補正の内容】
【００１２】
請求項３記載の発明によれば、ハウジングの上面に、携帯電子機器を横向きに寝かせてセットするセット凹部を設け、前記携帯電子機器の電極に接離する接続端子を、携帯電子機器の着脱に応じてハウジングから出没するように構成した接続端子台において、前記セット凹部の載置板部は、後方が高くなるように傾斜して形成し、このセット凹部の前壁部の内側に、携帯電子機器をセットするときの係止爪を設け、かつ、前壁部の中央部に前面切欠きを設け、前記セット凹部の側壁部の内側に、携帯電子機器のセットを保持するフックを設け、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、一体の回転軸を支点とする押圧釦を前記携帯電子機器の着脱により揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から横向きに前記接続端子を突出せしめる端子出没溝とを形成し、前記載置板部を、前記端子カバー部を除いて延長して指掛け部を形成し、前記接続端子は、導電性ばね線材を用い、下端部をプリント基板に接続固定し、端部の端子接触部を押圧釦の端子出没溝から突出する方向にばね力を有するように形成され、この接続端子の端子接触部を、接続端子のばね力に抗して押圧釦の端子付勢ばねにより端子カバー部の内部に引き込ませるようにし、前記接続端子の上端部の端子接触部は、Ｕ字形に折り返し、この端子接触部の端部を折曲して係止端部を形成し、この係止端部を、端子接触部が押圧釦の端子出没溝から所定量だけ突出するように押圧釦の背面の端子係止部に係止し、この端子係止部に連続して端子滑り部を形成し、押圧突部の押し下げによる押圧釦の一定角度の回動後に係止端部を、端子係止部から端子滑り部に移動させて端子接触部を急速に突出せしめるようにしたので、携帯電子機器を接続端子台のセット凹部にセットするときは、携帯電子機器を横向きにして手前側を前壁部の係止爪に係合しつつ後方の下側の角部を押圧釦２押圧突部に載せて、携帯電子機器の後方を上から押しこむ。また、セット凹部にセットした携帯電子機器を取り外すときには、前壁部の前面切欠きに親指をかけ、携帯電子機器の後面の指掛け部の位置に他の指をかけて引き起こすと、携帯電子機器は、前壁部の係止爪に係止した位置を支点として持ち上がり、フックから外れて簡単に抜き取ることができる。携帯電子機器の抜き取りにより携帯電子機器がわずかに浮き上がっただけで、押圧釦と一体に接続端子が端子付勢ばねにより端子カバー部の内側に引き込まれ、同時に、押圧釦の押圧突起が押圧釦出没窓から突出する。